(57)【要約】【課題】ストローの紛失がなく、取り扱いが便利であり、しかも装飾性に優れ、取り扱い時により大きな視覚的楽しみを発揮するストロー付きキャップを提案する。【解決手段】口頸部２にキャップ本体３を嵌着させて容器体Ｂに装着するキャップ付きのストローであって、キャップ本体頂壁８を貫通してストロー４を設け、また、キャップ本体の後部に動物等の形状した中空の装飾部５を備え、装飾部５には窓孔１２を穿設するとともに、窓孔内側に傾倒させることにより相対的に回動する揺動板６を設ける。そして、揺動板６の表面の表示部１５が傾けることにより窓孔内で相対的に移動する如く構成した。従って、吸飲動作の際に表示部が移動する。【選択図】図１
2004115103.tif 000002
【特許請求の範囲】
【請求項１】
容器体Ｂの口頸部２に嵌着させるキャップ本体３と、該本体の頂壁８を貫通して上端部を上方へ突設したストロー４と、キャップ本体３の後部にキャップ本体３の着脱が可能に固定した中空の装飾部５とを備え、上記装飾部５に穿設した窓孔１２を被覆する揺動板６を支持機構１４を介して装飾部５との相対的な揺動が可能に装飾部５内に設け、装着した容器体Ｂの傾倒により揺動板６が相対回動して揺動板６表面の表示部１５が窓孔１２に対して相対移動する如く構成したことを特徴とするストロー付きキャップ。
【請求項２】
上記支持機構１４が、装飾部内空間に回動可能に掛け渡した回動軸１６より下方へ錘１７を垂設するとともに、回動軸１６より連結板１８を突設し、且つ、連結板１８先端部に上記揺動板６を連結した支持機構である請求項１記載のストロー付きキャップ。
【請求項３】
上記装飾部５が、キャップ本体３後部に設けた胴部５ａと、該胴部５ａ上の頭部５ｂとで構成した動物状をなし、上記窓孔１２が、頭部５ｂの目該当位置に設けた一対の窓孔であり、上記表示部１５が窓孔１２内を往復動可能な位置に設けた黒目である請求項１又は請求項２のいずれかに記載のストロー付きキャップ。
【発明の詳細な説明】
【０００１】
【発明の属する技術分野】
本発明はストロー付きキャップに関する。
【０００２】
【従来の技術】
容器内の飲料液をストローで吸飲することが一般に行われているが、より便利な方法として種々の手段を備えたものが提案されている（例えば、特許文献１参照）。
【０００３】
ここに示されているストローは、ペットボトル中に差し込んだままでも蓋をすることのできるもので、伸縮自在に形成した樹脂製であり、ペットボトル中に挿入した時伸張状態にて先端がペットボトルの飲み口から突出し、飲み口に蓋をした時に蓋の内面に押圧されて収縮状態にてペットボトル中に収納されるように構成している。
【０００４】
また、ストローを固定手段によりコップに固定して収納液を吸飲する如く構成したものも提案されている（例えば、特許文献２参照）。この考案は、犬などの動物の形状を型取った固定手段をコップの開口縁部に係着し、この固定手段に貫通させたストローによりコップ内の液を吸飲する如く構成している。
【０００５】
【特許文献１】
特開２００１−０１７２９９号公報（第１−２頁，図１）
【特許文献２】
実開平０２−１２１８７１号公報（第２−７頁，図１）
【０００６】
【発明が解決しようとする課題】
前者はボトル内にストローを常時内在させておくことができるため、収納液を飲みかけのまま保管することができ、いつでも吸飲することができ、ストローを紛失する等の不都合のない便利なものである。
【０００７】
また後者は、コップにストローを安定的に固定できるため、吸飲操作がより安定して容易に行えるものであるとともに、固定手段を装飾性の高いマスコットとしているため、使用者に収納液を味わう楽しみに加えて視覚的楽しみを付加することができるものである。
【０００８】
本発明は上記前者の利点及び後者の利点を兼ね備えたストロー付きキャップを提案するものである。即ち、ストローの紛失がなく、取り扱いが便利であり、しかも、装飾性に優れ、取り扱い時により大きな視覚的な楽しみを発揮するストロー付きキャップを提案するものである。
【０００９】
【課題を解決するための手段】
本請求項１発明のストロー付きキャップは、上記課題を解決するため、容器体Ｂの口頸部２に嵌着させるキャップ本体３と、該本体の頂壁８を貫通して上端部を上方へ突設したストロー４と、キャップ本体３の後部にキャップ本体３の着脱が可能に固定した中空の装飾部５とを備え、上記装飾部５に穿設した窓孔１２を被覆する揺動板６を支持機構１４を介して装飾部５との相対的な揺動が可能に装飾部５内に設け、装着した容器体Ｂの傾倒により揺動板６が相対回動して揺動板６表面の表示部１５が窓孔１２に対して相対移動する如く構成したことを特徴とするストロー付きキャップとして構成した。
【００１０】
また、請求項２発明のストロー付きキャップは、上記支持機構１４が、装飾部内空間に回動可能に掛け渡した回動軸１６より下方へ錘１７を垂設するとともに、回動軸１６より連結板１８を突設し、且つ、連結板１８先端部に上記揺動板６を連結した支持機構である請求項１記載のストロー付きキャップとして構成した。
【００１１】
また、請求項３発明のストロー付きキャップは、上記装飾部５が、キャップ本体３後部に設けた胴部５ａと、該胴部５ａ上の頭部５ｂとで構成した動物状をなし、上記窓孔１２が、頭部５ｂの目該当位置に設けた一対の窓孔であり、上記表示部１５が窓孔１２内を往復動可能な位置に設けた黒目である請求項１又は請求項２のいずれかに記載のストロー付きキャップとして構成した。
【００１２】
【発明の実施の形態】
以下、本発明の実施例の形態を図面を参照して説明する。
【００１３】
本発明のストロー付きキャップＡは、容器体Ｂの口頸部２に嵌着して使用するもので、全体を合成樹脂等により形成している。
【００１４】
ストロー付きキャップＡは、キャップ本体３と、ストロー４と、装飾部５と、揺動板６とを備えている。
【００１５】
キャップ本体３は、容器体Ｂの口頸部２に嵌着して全体を容器体Ｂに装着するものであり、口頸部２外周に嵌合させた周壁７の上端縁より頂壁８を延設した下端開口の筒状をなしている。キャップ本体３の周壁７は、口頸部２外周に螺合，或いは突条相互の乗越え係合等の通常の係止手段により係止する如く構成している。
【００１６】
ストロー４は、キャップ本体３の頂壁８を貫通して上端部を上方へ突設するとともに、下端部を容器体Ｂ内下部に垂下させて容器体内収納液を吸飲可能に構成している。このストロー４は、キャップ本体３と一体に形成しても或いは別体に形成しても良い。別体に形成する場合には、キャップ本体頂壁８の所定位置に透孔を穿設し、ストローを挿通固定すれば良い。この場合にストローと透孔とは液の漏出を防止するために液密に嵌着する。また、ストロー４は図示例の如く上部を前方へ湾曲させるとより吸飲し易い。
【００１７】
また、ストロー４には図示例の如くストローキャップ９を設けると良い。このストローキャップ９は単なる一端を閉塞した筒状のものであっても良いが、図示例の如く、ストロー４に固定しておくことができるものがより好ましい。図示例のストローキャップ９は、ストロー４外周に密嵌させた取付リング１０より可撓性の連結帯１１を介して一体に設けており、図２に示す如く使用時にストロー４にぶら下げておくことができる。
【００１８】
装飾部５は、キャップ本体３の後部にキャップ本体３の着脱が可能に固定した中空のもので、例えば、動物や植物、その他種々の物体などの形状を型取ったもので、窓孔１２を備えている。この窓孔１２の形状は、装飾部５の形状や後述する揺動板６の表示部と対応させて種々の形状を採用できるが、吸飲のためにストロー４に口をつけた際に目視可能な位置に設けることが視覚的効果の上でより好ましい。また、装飾部５のキャップ本体３への固定は、装飾部５をキャップ本体３と一体に成形してもよいし、別体の装飾部５をキャップ本体３に組み付けるようにしてもよい。
【００１９】
図示例に於ける装飾部５は、キャップ本体３後部に設けた胴部５ａと、該胴部５ａ上の頭部５ｂとで構成した動物状をなしており、また、頭部５ｂの目該当位置に一対の窓孔１２を設けている。更に詳述すれば、胴部５ａは、胴体５ａ１　と、一対の腕５ａ２　と、一対の脚５ａ３　で構成しており、キャップ本体周壁７の前部両側に、胴体５ａ１　より突設した一対の腕５ａ２　の先端部をそれぞれ固定するとともに、胴体５ａ１　下部より突設した一対の脚５ａ３　を、口頸部２を挟持する形でその両側に延設している。また、胴部５ａの後部より尻尾１３を突設している。この尻尾１３及び脚５ａ３　内には針金等を内在させて異なる状態で維持することかできるように構成しても良い。また、上記窓孔１２は目を表す砲弾状をなしている。尚、図示例に於いて装飾部５は犬の形状をなしているが、上記した如くこれに限らず、他の動物形状を採用することができる。
【００２０】
揺動板６は、上記窓孔１２を内側から被覆するとともに、支持機構１４を介して装飾部５との相対的な揺動が可能に装飾部５内に設けたものである。また、装着した容器体Ｂの傾倒により装飾部５に対して相対回動して揺動板６表面の表示部１５が窓孔１２に対して相対移動する如く構成している。
【００２１】
上記支持機構１４は、揺動板６を装飾部５に対して回動可能に、且つ、常時一定位置を維持する如く支持するものである。図示例に於ける支持機構１４は、装飾部内空間に回動可能に掛け渡した回動軸１６より下方へ錘１７を垂設するとともに、回動軸１６より前方へ連結板１８を突設し、且つ、先端部に上記揺動板６を連結したものである。
【００２２】
更に詳述すると、揺動板６及び支持機構１４は、図３及び図４に示す如く、横円柱状の回動軸１６下面より垂設した第１の連結板１９下端に横円柱状の錘１７を延設し、また、回動軸１６の前面より前方へ突設した第２の連結板１８を介して揺動板６を延設している。揺動板６は装飾部５内面に沿っての揺動が可能な如く円弧板状に形成されており、その裏面下部に第２の連結板１８の先端を一体に連結している。
【００２３】
そして、装飾部５の内部空間両側に筒状の軸受２０を突設するとともに、窓孔１２の両側所定位置に一対の案内溝２１を形成し、各軸受２０に回動軸１６の両側を回動可能に軸支させるとともに、揺動板６の両側縁を上記各案内溝２１に揺動可能に嵌合して装着する。
【００２４】
揺動板６表面の表示部１５は、装飾部５の形状等により種々の形態のものを採用することができるが、図示例では、窓孔１２内を往復動可能な位置に設けた黒目に構成している。
【００２５】
上記の如く構成したストロー付きキャップＡは、図１の如き容器正立状態では、図５（ａ）　に示す如く、揺動板６が案内溝２１の下端部に位置し、表示部１５である黒目が窓孔１２の下部に位置する。そして、この状態から、容器体Ｂを前方へ傾けると、図５（ｂ）　に示す如く、装飾部５が前方に傾くが揺動板６は支持機構１４の作用でそのままの状態を維持するため、揺動板６が装飾部５に対して相対的に回動する。従って、この際には表示部１５である黒目が窓孔１２の上部に移行して異なる表情を表す。
【００２６】
【発明の効果】
以上説明した如く本発明ストロー付きキャップは、既述構成としたことにより、ストローが常時固定されているためストローを紛失する虞がなく、即座に吸飲できるため取り扱いも便利である。しかも、装飾体の存在と表示部の移動により取り扱い時により大きな視覚的楽しみを発揮するものである。
【００２７】
また、装飾部内空間に回動可能に掛け渡した回動軸１６より下方へ錘１７を垂設するとともに、回動軸１６より連結板１８を突設し、且つ、連結板１８先端部に上記揺動板６を連結した支持機構を設けたものにあっては、揺動板６と一体に支持機構を形成できる利点があり、また、無理のない揺動板６の支持を行えるため、この部分の耐久性にも富む利点を兼ね備えている。
【００２８】
また、上記装飾部５が、キャップ本体３後部に設けた胴部５ａと、該胴部５ａ上の頭部５ｂとで構成した動物状をなし、上記窓孔１２が、頭部５ｂの目該当位置に設けた一対の窓孔であり、上記表示部１５が窓孔１２内を往復動可能な位置に設けた黒目であるものにあっては、装着した容器の正立時或いは傾倒時に動物がそれぞれ違った表情をするため、幼児に限らず大人にもより大きな視覚的楽しみを付与するものである。
【図面の簡単な説明】
【図１】本発明の一実施例を示す斜視図である。
【図２】同実施例の前方へ傾けた状態の斜視図である。
【図３】同実施例の頭部部分の分解斜視図である。
【図４】同実施例の揺動板及び支持機構の斜視図である。
【図５】同実施例の作用説明する説明図である。
【符号の説明】
２…口頸部，３…キャップ本体，４…ストロー，５…装飾部，５ａ…胴部，
５ｂ…頭部，６…揺動板，８…頂壁，１２…窓孔，１４…支持機構，１５…表示部，
１６…回動軸，１７…錘，１８…連結板，Ｂ…容器体
【図１】
2004115103.tif 000003
【図２】
2004115103.tif 000004
【図３】
2004115103.tif 000005
【図４】
2004115103.tif 000006
【図５】
2004115103.tif 000007